(57)【要約】【課題】  簡単かつ素早く、分離した内容液を攪拌し、混合できるキャップを提供すること。【解決手段】  容器本体の口部に装着されるキャップ基体と、上蓋とからなるキャップにおいて、キャップ基体は、外筒と、上蓋と係合する係合部を設けた係合リングと、注出筒とを具え、上蓋は、頂壁と、頂壁の下面に垂設され、閉蓋時に外周が注出筒の内周と係合する密封筒と、頂壁の外縁に垂設される側周壁とを具え、頂壁下面の密封筒より内方に、混合部が設けられていることを特徴とする。【選択図】  図１
2014069857.tif 000002
【特許請求の範囲】
【請求項１】
容器本体の口部に装着されるキャップ基体と、上蓋とからなるキャップにおいて、
キャップ基体は、外筒と、上蓋と係合する係合部を設けた係合リングと、注出筒とを具え、
上蓋は、頂壁と、頂壁の下面に垂設され、閉蓋時に外周が注出筒の内周と係合する密封筒と、頂壁の外縁に垂設される側周壁とを具え、
頂壁下面の密封筒より内方に、混合部が設けられていることを特徴とするキャップ。
【請求項２】
頂壁は、密封筒より内方が、ドーム状に形成されていることを特徴とする請求項１記載のキャップ。
【請求項３】
頂壁は、密封筒より内方が、中央頂壁と、中央頂壁の外縁に連設され下方に向かい傾斜する傾斜リング壁とから形成されていることを特徴とする請求項１記載のキャップ。
【請求項４】
混合部が、頂壁部の下面の中央に垂設された混合軸片と、頂壁部の下面に、混合軸片から所定の距離を置いて一方向に湾曲しながら放射状に延びる複数の混合リブとからなっていることを特徴とする請求項１〜３のいずれかに記載のキャップ。
【請求項５】
混合部が、中央を軸として、一方向に向けて湾曲しながら放射状に延びる複数の混合リブからなっていることを特徴とする請求項１〜３のいずれかに記載のキャップ。
【請求項６】
混合部が、中央を軸として、一方向に向けて湾曲しながら放射状に延びるとともに、傾斜する複数の傾斜混合リブからなっていることを特徴とする請求項１〜３のいずれかに記載のキャップ。
【請求項７】
キャップ基体の外筒の上面に、所定円周角の円弧範囲にわたって、所定の深さまで切り込まれるスリット溝が凹設され、
外筒のスリット溝の底部内周側は、外筒の内周との間で破断可能な薄肉周部が形成され、
外筒の外周に、スリット溝の片側端部との間に破断可能な薄肉連結部を残して離れた位置に外周から切り込まれた外周凹部が、縦方向に凹設されていることを特徴とする請求項１〜６のいずれかに記載のキャップ。
【発明の詳細な説明】
【技術分野】
【０００１】
本発明は、液注出容器のキャップ、とくにドレッシングなど平常時に複数液に分離した内容液を攪拌させるキャップに関する。
【背景技術】
【０００２】
従来、内容液として、ドレッシングなどの平常時に複数液に分離する内容液を収納した容器本体に、開閉蓋できるキャップを装着した液注出容器は従来より知られている（例えば、特許文献１参照）。
【先行技術文献】
【特許文献】
【０００３】
【特許文献１】特開２００２−３３７９１８号公報
【発明の概要】
【発明が解決しようとする課題】
【０００４】
しかしながら、上記特許文献１記載の容器では、内容液を使用する前、分離した内容液を攪拌するために、閉蓋状態で容器を上下に振って攪拌させているが、液の性質によっては、なかなか混合されず、長時間、容器を振らないと混合されないという問題があった。
【０００５】
本発明は、上記問題を解決することを課題とし、簡単かつ素早く、分離した内容液を攪拌し、混合できるキャップを提供することを目的とする。
【課題を解決するための手段】
【０００６】
本発明は、上記の課題を解決するため、キャップとして、容器本体の口部に装着されるキャップ基体と、上蓋とからなるキャップにおいて、キャップ基体は、外筒と、上蓋と係合する係合部を設けた係合リングと、注出筒とを具え、上蓋は、頂壁と、頂壁の下面に垂設され、閉蓋時に外周が注出筒の内周と係合する密封筒と、頂壁の外縁に垂設される側周壁とを具え、頂壁下面の密封筒より内方に、混合部が設けられていることを特徴とする構成を採用する。
【０００７】
頂壁部の実施例として、頂壁は、密封筒より内方が、ドーム状に形成されていることを特徴とする構成、また、頂壁は、密封筒より内方が、中央頂壁と、中央頂壁の外縁に連設され下方に向かい傾斜する傾斜リング壁とから形成されていることを特徴とする構成を採用する。
【０００８】
混合部の実施例として、混合部が、頂壁部の下面の中央に垂設された混合軸片と、頂壁部の下面に、混合軸片から所定の距離を置いて一方向に湾曲しながら放射状に延びる複数の混合リブとからなっていることを特徴とする構成、また、混合部が、中央を軸として、一方向に向けて湾曲しながら放射状に延びる複数の混合リブからなっていることを特徴とする構成、さらにまた、混合部が、中央を軸として、一方向に向けて湾曲しながら放射状に延びるとともに、傾斜する複数の傾斜混合リブからなっていることを特徴とする構成を採用する。
【０００９】
キャップ基体の実施例として、キャップ基体の外筒の上面に、所定円周角の円弧範囲にわたって、所定の深さまで切り込まれるスリット溝が凹設され、外筒のスリット溝の底部内周側は、外筒の内周との間で破断可能な薄肉周部が形成され、外筒の外周に、スリット溝の片側端部との間に破断可能な薄肉連結部を残して離れた位置に外周から切り込まれた外周凹部が、縦方向に凹設されていることを特徴とする構成を採用する。
【発明の効果】
【００１０】
本発明のキャップは、容器本体の口部に装着されるキャップ基体と、上蓋とからなるキャップにおいて、上蓋の頂壁の中央を頂壁部とし、頂壁部の外縁下端に、閉蓋時に外周がキャップ基体の注出筒の内周と係合する密封筒を垂設し、頂壁部の下面に混合部が設けられていることにより、容器全体を上下に振った際に、上蓋の頂壁部下面および混合部に内容液が衝突し、乱流が発生するので、分離していた内容液を、より簡単に、かつ、素早く攪拌させることができる。
【００１１】
また、キャップ基体の外筒の上面に、周方向に所定の深さまで切り込まれるスリット溝を凹設し、外筒の外周の片方のヒンジ端近傍に、外周から切り込まれた外周凹部が凹設されていることにより、容器を使用後、キャップを簡単に分別廃棄することができる。
【図面の簡単な説明】
【００１２】
【図１】本発明のキャップの説明図で、（ａ）は閉蓋時の断面図、（ｂ）は開蓋時の上面図である。
【図２】キャップの説明図で、（ａ）は下面図、（ｂ）は図１（ｂ）の要部拡大図である。
【図３】キャップの分別廃棄時の上面図である。
【図４】上蓋の混合部の別実施例の説明図で、（ａ）は別実施例１、（ｂ）は別実施例２である。
【図５】上蓋の頂壁部の別実施例の説明図で、（ａ）は閉蓋時の断面図、（ｂ）は開蓋時の上面図である。
【発明を実施するための形態】
【００１３】
次に、本発明のキャップの実施態様について、図面を参照して説明する。
図１、２において、Ａは容器本体の口部に装着されるキャップ基体、Ｂはキャップ基体ＡにヒンジＣを介して連設された上蓋である。
【００１４】
キャップ基体Ａは、外周上部にヒンジＣを連設する外筒１と、外筒１の内周上部に外周下部が連設され、外周上部に上蓋Ｂと係合する蓋係止突条２を形成した係合リング３と、係合リング３の内周下部に外周上部が連設される内筒４と、内筒４の内周上部に外周上部が連設される注出筒５と、注出筒５の内周下部に連設される底壁６とからなっている。
底壁６には、容器本体内部の内容物を注出するための開口を形成する除去部７が弱化部８を介して形成され、除去部７には、ヒンジＣ側に立設された支柱９を介して除去部７を引き上げて開封する指掛けリング１０が連設されており、指掛けリング１０のヒンジＣの反対側の下部には、指先への接圧をやわらかくするための緩衝片１１が形成されている。
【００１５】
外筒１の内周下部には、容器本体の口部外周に係合する嵌合突条１２が突設されている。
キャップ基体Ａは、外筒１の内周が容器本体の口部外周と係合するとともに、内筒４の外周が容器本体の口筒内周と係合し、容器本体の口部を挟持して装着されている。
【００１６】
外筒１には、外周上部に一定範囲の幅でヒンジＣが連設されており、外筒１の上面には、ヒンジＣの連設部の片方の側部近傍からヒンジＣの中心側に向かうとともに、所定円周角の円弧範囲にわたって延び、所定の深さまで切り込まれたスリット溝１３が、凹設されている。
また、外筒１のスリット溝１３の底部内周側は、外筒１の内周との間で薄肉となり、破断可能な薄肉周部１４が形成される。
【００１７】
外筒１のスリット溝１３のヒンジＣ側の端部近傍には、外周から縦方向に切り込まれた略Ｖ字状の外周凹部１５が配設されている。
外筒１の外周凹部１５とスリット溝１３端部との間には、破断可能な薄肉連結部１６が形成され、外周凹部１５の内周側と外筒１の内周との間には、破断可能な薄肉縦部１７が形成されている。
また、外筒１の嵌合突条１２の薄肉縦部１７近傍は、内周から切り欠かれている。
【００１８】
注出筒５の内周の所定の位置には、エアー抜き凹部１８が凹設されている。
【００１９】
上蓋Ｂは、ドーム状のドーム頂壁２０と、ドーム頂壁２０の外縁に連設されるリング状のリング頂壁２１と、ドーム頂壁２０の下端に垂設され、閉蓋時に外周がキャップ基体Ａの注出筒５の内周と係合する密封筒２２と、リング頂壁２１の外縁に垂設され、外周下部にヒンジＣが連設される側周壁２３とを具えている。
【００２０】
ドーム頂壁２０の下面には、混合部２４が設けられている。
混合部２４は、ドーム頂壁２０の下面の中央に垂設された混合軸片２４ａと、ドーム頂壁２０の下面の下端部から中央に向かって湾曲しながら延びるように形成された混合リブ２４ｂが周方向に間隔をおいて複数配設されている。
混合リブ２４ｂは、互いに一方向に向けて湾曲され、上面から見ると、混合軸片２４ａから所定の距離を置いて放射状に延びた複数の羽根形に配設されている。
【００２１】
側周壁２３には、内周下部に、閉蓋時にキャップ基体Ａの蓋係止突条２と係合し、閉蓋状態を維持する係合部２５が設けられている。
側周壁２３のヒンジＣの反対側外周には、下端部に、開蓋時に指を掛けるための摘み片２６が凸設され、摘み片２６の上方には、肉抜き凹部２７が凹設されている。
【００２２】
次に、本実施形態の使用態様と作用効果について説明する。
本発明のキャップは、内容液、特にドレッシングなどの平常時に複数液に分離する液などを容器本体内に充填した後、閉蓋状態で上方から打栓し、容器本体に装着する。
【００２３】
キャップを打栓した際に、打栓の衝撃により、キャップ本体Ａに対して上蓋Ｂが僅かに下降することにより、上蓋Ｂの密封筒２２の外周下端がキャップ本体Ａの注出筒５に凹設したエアー抜き凹部１８に位置し、エアー抜き凹部１８を介して空気の流路を開設し、密封筒２２と注出筒５との内方に密封された空気が外方に排出される。
【００２４】
また、上蓋Ｂの側周壁２３が下降し、キャップ本体Ａの係合リング３の上面に押圧されることにより、側周壁２３の肉抜き凹部２７が変形し、肉抜き凹部２７付近の側周壁２３の下部が外側に向けられ、該下部の係合部２５内側と係合リング３の外側との間に間隙ができ、該間隙から側周壁２３の内方に密封された空気がキャップ外に排出される。
【００２５】
打栓後は、上蓋Ｂがすぐに復元し、密封筒２２と注出筒５とが係合して密封されるとともに、係合部２５内側と係合リング３の外側とが係合して密封されることにより、キャップ内の空気が僅かに負圧になる。
【００２６】
キャップ内の空気が僅かに負圧になることにより、打栓後、滅菌または洗浄のためにキャップの上方から温水シャワーした際に、キャップ内の空気が暖められて膨張したとしても、負圧の分、余裕ができ、キャップ内の空気の膨張により上蓋が開蓋してしまうことを防止することができる。
【００２７】
上蓋Ｂを開蓋する際は、上蓋Ｂの摘み片２６を持ち上げると、側周壁２３の肉抜き凹部２７が変形し、肉抜き凹部２７付近の側周壁２３の下部が外側に向けられるので、その部分から係合部２５内側と係合リング３の外側との係合が外されていき、簡単に開蓋することができる。
【００２８】
内容液を使用する際には、まず、上蓋Ｂを開蓋した後、キャップ基体Ａの底壁６の指掛けリング１０に指を掛けて上方に引っ張り上げ、弱化部８を切断することにより、除去部７を排除して、底壁６に開口を開設する。
底壁６に開口を開設した後、上蓋Ｂを再び閉蓋し、キャップ内を密封する。
【００２９】
キャップ内を密封した後、容器全体を上下に振ると、底壁６の開口を通して、容器本体内と上蓋Ｂのドーム頂壁２０の下面との間で、内容液を上下に振動させ、攪拌させる。
【００３０】
本実施形態のキャップは、上蓋Ｂのドーム頂壁２０の下面に複数の混合リブ２４ｂおよび混合軸片２４ａを配設されているので、容器全体を上下に振った際に、複数の混合リブ２４ｂと混合軸片２４ａおよびそれぞれの間のドーム頂壁２０の下面に、内容液が衝突し、液に乱流が発生することにより、内容液、特に分離していた複数液を、より簡単に、かつ、素早く攪拌させることができる。
【００３１】
内容液をよく攪拌した後、上蓋Ｂを開蓋し、容器を傾け、容器本体内の内容液をキャップ基体Ａの底壁６の開口から注出筒５の内周で案内して注出される。
【００３２】
容器を使用後、本発明のキャップを分別廃棄する態様について説明する。
まず、本発明のキャップを開蓋して上蓋Ｂを把持し外方に引っ張ると、キャップ基体Ａの外筒１のヒンジＣとの連設部位が引っ張られて変形し、薄肉連結部１６が引き裂かれて、外筒１の上端からスリット溝１３の底部の位置まで破断される。
【００３３】
その後、さらに上蓋Ｂを引っ張ると、図３に示すように、薄肉縦部１７が引き裂かれるとともに、スリット溝１３の薄肉周部１４が薄肉連結部１６側から引き裂かれ、外筒１のスリット溝１３の外側および下側が離されていく。
【００３４】
外筒１の薄肉周部１４が切断され、外筒１のスリット溝１３の外側および下側が離されていくことにより、容器本体の口部外周に係合している外筒１の内周および嵌合突条１２との係合が外されていく。
さらに、上蓋Ｂまたは切り離された外筒１を上に引っ張ると、容器本体の口部からキャップ基体Ａを簡単に外すことができ、キャップと容器本体を分別廃棄することができる。
【００３５】
上記実施形態では、上蓋Ｂのドーム頂壁２０の下面に設けた混合部２４として、混合軸片２４ａと、混合軸片２４ａから所定の距離を置いて放射状に延びた複数の羽根形に配設された混合リブ２４ｂとしているが、混合部の別実施例１として、混合軸片を無くし、図４（ａ）に示すように、ドーム頂壁２０の下面に設けた混合部３０を、中央を軸３０ａとして、互いに一方向に向けて湾曲しながら放射状に延びる複数の混合リブ３０ｂとしてもよい。
【００３６】
また、混合部の別実施例２として、図４（ｂ）に示すように、ドーム頂壁２０の下面に設けた混合部３５を、中央を軸３５ａとして互いに一方向に向けて湾曲しながら放射状に延びるように周方向に間隔をおいて複数配設されるとともに、それぞれが傾斜する複数の傾斜混合リブ３５ｂとし、上面から見るとスクリュープロペラのように形成してもよい。
混合部は、容器全体を上下に振った際に、ドーム頂壁２０の下面および混合部に内容液を衝突させることにより、液に乱流を発生させ、内容液、特に分離していた複数液を、より簡単に、かつ、素早く攪拌させることができればどのような形状でもよく、上記実施形態、または、各別実施例の形状に限定されない。
【００３７】
上記実施形態では、上蓋Ｂの頂壁中央をドーム状のドーム頂壁２０としたが、ドーム状でなく、上蓋の頂壁中央の別実施例として、図５に示すように、上蓋Ｂａの頂壁中央を、中央頂壁４０と、中央頂壁４０の外縁に連設され下方に向かい傾斜する傾斜リング壁４１とし、傾斜リング壁４１の下端縁に密封筒２２を垂設し、傾斜リング壁４１の外縁にリング頂壁２１を連設するようにしてもよい。
【００３８】
上蓋Ｂａの混合部４２は、中央頂壁４０の下面の中央に垂設された混合軸片４２ａと、傾斜リング壁４１の下面の下端部から中央頂壁４０の中央に向かって湾曲しながら延びるように形成された混合リブ４２ｂが、周方向に間隔をおいて複数配設されている。
また、混合部４２は、中央頂壁４０および傾斜リング壁４１の下面に上記各別実施例のように構成するようにしてもよい。
【００３９】
上蓋Ｂａの頂壁中央を、中央頂壁４０と、傾斜リング壁４１とすることにより、容器全体を上下に振った際に、中央頂壁４０および傾斜リング壁４１の下面および混合部４２に内容液を衝突させることにより、上記実施形態と同様に、液に乱流を発生させ、内容液、特に分離していた複数液を、より簡単に、かつ、素早く攪拌させることができる。
【００４０】
上記実施形態および別実施例では、上蓋の頂壁中央をドーム壁などとしているが、頂壁中央の下面に混合部を設け、容器全体を上下に振った際に、混合部で攪拌できればよいので、上蓋の頂壁中央の形状は、フラットなものなどでもよく、上記実施例の形状に限定されない。
【００４１】
上記実施形態では、キャップ基体Ａの外筒１の上面に、スリット溝１３が凹設され、外筒１の外周に外周凹部１５を凹設することにより、容器を使用後、容器本体とキャップを簡単に分別廃棄できるようにしているが、分別廃棄の構成はどのような構成でもよく、また、分別廃棄の構成自体をなくしてもよい。
したがって、キャップ基体の外筒の構成は上記実施形態の形態に限定されない。
【００４２】
上記実施形態では、キャップ基体Ａと上蓋ＢとをヒンジＣを介して連設したヒンジキャップとしているが、キャップ基体Ａに上蓋Ｂを開閉自在に装着できればヒンジはなくてもよく、また、上蓋とキャップ基体にそれぞれ螺合するねじ部を設け、ねじ嵌合により開閉する構成でもよく、上蓋とキャップ基体の装着方法の構成は、上記実施形態の形態に限定されない。
【産業上の利用可能性】
【００４３】
本発明のキャップは、キャップ基体の底壁の開口を開設し、上蓋を再び閉蓋した後、容器全体を上下に振ると、上蓋の頂壁の中央部下面および混合部に内容液が衝突し、液に乱流が発生することにより、内容液、特に分離していた複数液を、より簡単に、かつ、素早く攪拌させることができるので、特にドレッシングなどの平常時に複数液に分離する液などを攪拌して使用するキャップとして広く利用可能である。
【符号の説明】
【００４４】
Ａ          キャップ基体
Ｂ、Ｂａ    上蓋
Ｃ          ヒンジ
１          外筒
２          蓋係止突条
３          係合リング
４          内筒
５          注出筒
６          底壁
７          除去部
８          弱化部
９          支柱
１０        指掛けリング
１１        緩衝片
１２        嵌合突条
１３        スリット溝
１４        薄肉周部
１５        外周凹部
１６        薄肉連結部
１７        薄肉縦部
１８        エアー抜き凹部
２０        ドーム頂壁
２１        リング頂壁
２２        密封筒
２３        側周壁
２４、３０、３５、４２  混合部
２４ａ、４２ａ  混合軸片
２４ｂ、３０ｂ、４２ｂ  混合リブ
２５        係合部
２６        摘み片
２７        肉抜き凹部
３０ａ、３５ａ  軸
３５ｂ      傾斜混合リブ
４０        中央頂壁
４１        傾斜リング壁
【図１】
2014069857.tif 000003
【図２】
2014069857.tif 000004
【図３】
2014069857.tif 000005
【図４】
2014069857.tif 000006
【図５】
2014069857.tif 000007